(57)【要約】多数のリベット類をリベット保持帯に連続的に、かつ確実に装着するリベット保持帯へのリベット類装着装置であって、リベット類をランダムに収容するホッパ１１と、このホッパ１１に連続しホッパ１１に収容されたリベット類をリベットホイール１５の受け渡し位置へ案内するシュート１４と、このシュート１４の下端から前記リベット類を鍔体周縁に形成された複数の溝２９に回転しながら１本ずつ収納するリベットホイール１５と、このリベットホイール１５の外周縁に対向して設けられ、リベットホイール１５の溝２９に位置する前記リベット類をリベットホイール１５に沿って案内されるリベット保持帯３６の保持切欠３７に押し込む押込み部材４２とを具備し、リベットホイール１５の胴部２７にリベット保持帯３６の長さ方向に沿って開けられた係止孔３８に係合しながら、このリベット保持帯３６を送り出すスプロケット３５を設ける。
2004082865.tif 000002
【特許請求の範囲】
【請求項１】
リベット類をランダムに収容するホッパと、このホッパに連続しホッパに収容されたリベット類をリベットホイールの受け渡し位置へ案内するシュートと、このシュートの下端から前記リベット類を鍔体周縁に形成された複数の溝に回転しながら１本ずつ収納するリベットホイールと、このリベットホイールの外周縁に対向して設けられ、リベットホイールの溝に位置する前記リベット類をリベットホイールに沿って案内されるリベット保持帯の保持切欠に押し込む押込み部材と、前記リベットホイールの胴部に設けられ、前記リベット保持帯の長さ方向に沿って開けられた係止孔に係合しながら、このリベット保持帯を送り出すスプロケットとを備えたことを特徴とするリベット保持帯へのリベット類装着装置。
【請求項２】
リベット類をランダムに収容するホッパと、このホッパの内部を貫いて昇降駆動されてリベット類の頭部を支持し、かつ軸部分を吊り下げる整列スリットを持った整列フィーダと、前記整列スリットに連続するスリットを持ち、前記リベット類を下方へ案内するシュートと、このシュートの下端から前記リベット類を鍔体周縁に形成された複数の溝に回転しながら１本ずつ収納するリベットホイールと、このリベットホイールの外周縁に対向して設けられ、リベットホイールの溝に位置する前記リベット類をリベットホイールに沿って案内されるリベット保持帯の保持切欠に押し込む押込み部材と、前記リベットホイールの胴部に設けられ、前記リベット保持帯の長さ方向に沿って開けられた係止孔に係合しながら、このリベット保持帯を送り出すスプロケットとを備えたことを特徴とするリベット保持帯へのリベット類装着装置。
【請求項３】
前記整列フィーダおよびリベットホイールが独自の駆動力を受けて駆動されることを特徴とする請求の範囲第２項記載のリベット保持帯へのリベット類装着装置。
【請求項４】
前記整列フィーダがモータにより駆動され、リベットホイールがハンドル操作によって駆動されることを特徴とする請求の範囲第３項記載のリベット保持帯へのリベット類装着装置。
【請求項５】
前記リベットホイール周辺のリベット類の受け取り位置付近からリベット保持帯へのリベット類の引き渡し位置に亘って、リベットホイールの胴部に対峙して設けられ、リベットホイールの溝およびリベット保持帯の保持切欠の入口に位置するリベット類の頭部を支持して位置を規制して案内する規制部材が設けられていることを特徴とする請求の範囲第１項または第２項記載のリベット保持帯へのリベット類装着装置。
【請求項６】
前記押込み部材には、リベット保持帯の保持切欠に対するリベット類の押込み量を調整するための押込み量調整部材が設けられていることを特徴とする請求の範囲第１項または第２項記載のリベット保持帯へのリベット類装着装置。
【発明の詳細な説明】
【技術分野】  本発明は、多数のブラインドリベット、釘等のリベット類を１本ずつリベット保持帯に連続して装着させるリベット保持帯へのリベット類装着装置に関する。
【背景技術】  例えば、連発リベッターにおけるブラインドリベットは、リベット保持帯に装着され、このリベット保持帯を連発リベッターに収納することによって、対象物に対するブラインドリベットの打込み、かしめが行われる。通常、使用者はブラインドリベット付きのリベット保持帯を購入して使用しているが、これは１回のみの使用であり、空になったリベット保持帯は廃棄されている。
そこで、本出願人は、１回の使用で廃棄するのでは不経済であるので、リベット保持帯にリベット類を連続して装着することのできる装置を提供した。この装置は、日本国特許第３，３６４，８１２号および第３，４３５，５４６号に示されている。
この従来のリベット類をリベット保持帯に連続して装填する装置（以下、単に従来の装置と略称する）は、リベット類のホッパと、リベットホイールと、前記ホッパに連続しホッパ内のリベット類を該リベットホイールの受け渡し位置へガイドする給送路と、リベット類を給送路に落し込む回転ロール又は整列フィーダと、リベット類の規制部材と、リベット類の押込部材と、リベットホイール及び回転ロール又は整列フィーダの駆動手段とを備えている。
この従来の装置は、リベット類をリベット保持帯に自動的に装着でき、容易にリベット類を装填したリベット保持帯を得ることができるし、使用済のリベット保持帯も繰り返しの使用が可能となり好ましいのである。
しかしながら、前記従来の装置は、さらに次のような改善すべき課題がある。
（１）リベットホイールのリベット係止用の溝とリベット保持帯の保持切欠とを合致させるため、リベットホイールとリベット保持帯の位置合せが必要である。
（２）従来の装置は、回転ロール又は整列フィーダとリベットホイールの駆動手段が同一のハンドルであるため、ハンドルの回転数とリベット類の回転ロール又は整列フィーダでの給送路への落し込み数が一致しないと過不足が生じ、手で修正する必要がある。
（３）従来の装置のリベット類の押込部材は、固定式であるため、リベット類の軸径の許容範囲が小さく、リベット類の軸径が異なると対応できず、取り換えが必要である。
（４）従来の装置のリベット保持帯は、リベットホイールの胴部（軸部）への接触による摩擦で移送されているため、リベットホイールの胴部とのスリップにより、移送がリベットホイールの回転と常に確実に同期しないことがあること、およびリベットホイールの胴部との接触圧によりリベットホイールの回転に負荷がかかり重くなる。
この発明は、このような従来の課題を解決した多数のリベット類をリベット保持帯に連続して装着することのできる、小型で取扱い容易なリベット保持帯へのリベット類装着装置を提供することを目的としている。
【発明の開示】
この発明にかかるリベット保持帯へのリベット類装着装置は、リベット類をランダムに収容するホッパと、このホッパに連続しホッパに収容されたリベット類をリベットホイールの受け渡し位置へ案内するシュートと、このシュートの下端から前記リベット類を鍔体周縁に形成された複数の溝に回転しながら１本ずつ収納するリベットホイールと、このリベットホイールの外周縁に対向して設けられ、リベットホイールの溝に位置する前記リベット類をリベットホイールに沿って案内されるリベット保持帯の保持切欠に押し込む押込み部材と、前記リベットホイールの胴部に設けられ、前記リベット保持帯の長さ方向に沿って開けられた係止孔に係合しながら、このリベット保持帯を送り出すスプロケットとを備える。
また、この発明にかかるリベット保持帯へのリベット類装着装置は、リベット類をランダムに収容するホッパと、このホッパの内部を貫いて昇降駆動されてリベット類の頭部を支持し、かつ軸部分を吊り下げる整列スリットを持った整列フィーダと、前記整列スリットに連続するスリットを持ち、前記リベット類を下方へ案内するシュートと、このシュートの下端から前記リベット類を鍔体周縁に形成された複数の溝に回転しながら１本ずつ収納するリベットホイールと、このリベットホイールの外周縁に対向して設けられ、リベットホイールの溝に位置する前記リベット類をリベットホイールに沿って案内されるリベット保持帯の保持切欠に押し込む押込み部材と、前記リベットホイールの胴部に設けられ、前記リベット保持帯の長さ方向に沿って開けられた係止孔に係合しながらこのリベット保持帯を送り出すスプロケットとを備える。
これらの発明においては、リベット保持帯とリベットホイールとの回転が一体に行われ、リベット保持帯の保持切欠とリベットホイールの溝との位置を常に安定的に同期させることができ、リベット保持帯の保持切欠へのリベット類の装着を確実にすることができる。
また、リベット保持帯は、スプロケットで送り出されるので、リベットホイールとの接触圧（摩擦力）が少なくリベットホイールは軽く回転できる。
また、この発明にかかるリベット保持帯へのリベット類装着装置は前記整列フィーダおよびリベットホイールが独自の駆動力を受けて駆動されることを特徴とする。これにより、整列フィーダとリベットホイールとが同期作動でなくても、例えば、手動にて回転するリベットホイール溝にシュートからのリベットの送り出しを、任意の速さで確実に行うことができる。
また、この発明にかかるリベット保持帯へのリベット類装着装置は前記整列フィーダがモータにより駆動され、リベットホイールがハンドル操作によって駆動されることを特徴とする。これにより、整列フィーダから送られるリベットを、リベットホイールの溝に対し任意の速さで１本ずつ確実に装着することができる。
また、前記の発明においては、整列フィーダとリベットホイールの駆動手段が別々であるため、例えば、ハンドルの回転数とリベット類の回転ロール又は整列フィーダでのシュートへの落し込み数が一致しなくてもリベット類の過不足は生じない。
また、この発明にかかるリベット保持帯へのリベット類装着装置は前記リベットホイール周辺のリベット類の受け取り位置付近からリベット保持帯へのリベット類の引き渡し位置に亘って、リベットホイールの胴部に対峙して設けられ、リベットホイールの溝およびリベット保持帯の保持切欠の入口に位置するリベット類の頭部を支持して位置を規制して案内する規制部材が設けられていることを特徴とする。これにより、シュートからリベットホイール側に受け取ったリベット類は、リベット保持帯への装着位置を規制して案内でき、常にリベット類を位置決めしてリベット保持帯に装着することができる。
また、この発明にかかるリベット保持帯へのリベット類装着装置は前記押込み部材に、リベット保持帯の保持切欠に対するリベット類の押込み量を調整するための押込み量調整部材が設けられていることを特徴とする。これにより、リベット保持帯およびリベッド類の形式やサイズ等に合わせた押込みストロークおよび押込み圧にて、リベット類をリベット保持帯の係止孔に確実に装着することができる
以上のように、本発明によればリベットホイールの外周にリベット保持帯の長さ方向に沿って開けられた係止孔に係合しながら、このリベット保持帯を送り出すスプロケットを設けたことにより、リベット保持帯とリベットホイールとの回転が一体に行われ、リベット保持帯の保持切欠とリベットホイールの溝（保持溝）との位置を常に安定的に同期させることができ、保持切欠へのリベット類の装着を確実にすることができる。
また、リベット保持帯は、スプロケットで送り出すので、リベットホイールとの接触圧（摩擦力）が少なく、リベットホイールは軽く回転できる。
また、前記整列フィーダおよびリベットホイールが独自の駆動力を受けて駆動されるようにしたので、整列フィーダとリベットホイールとの同期作動でなくても、例えば、手動にて回転するリベットホイールの溝にシュートからのリベットの送り出しを、任意の早さで確実に行うことができる。
また、前記整列フィーダがモータにより駆動され、リベットホイールがハンドル操作によって駆動されるようにしたので、整列フィーダから送られるリベットを、リベットホイールの溝に対し１本ずつ確実に送り出すことができる。
また、整列フィーダとリベットホイールの駆動手段が別々であるため、ハンドルの回転数とリベット類の整列フィーダでのシュートへの落し込み数が一致しなくても、リベットホイールに供給されるリベット類に過不足は生じない。
また、前記リベットホイール周辺のリベット類の受け取り位置付近からリベット保持帯へのリベット類の引き渡し位置に亘って、リベットホイールの胴部に対峙して設けられ、リベットホイールの溝およびリベット保持帯の保持切欠の入口に位置するリベット類の頭部を支持して位置を規制して案内する規制部材を設けたことで、リベット保持帯の保持切欠とリベットホイールの溝（保持溝）とをリベットを共に受け入れる位置に案内でき、リベット類を常に所定の位置としてリベット保持帯に装着でき、かつリベット類のこれらの各孔への装着をスムースにすることができる。
また、リベットホイール周辺のリベット保持帯へのリベット類の引き渡し位置に、リベット類をリベット保持帯の保持切欠に押込む押込み量調整可能な押込み部材を設けたので、リベット保持帯およびリベット類の形式やサイズ等に合わせた押込みストロークおよび押込み圧にて、リベット類をリベット保持帯の保持切欠に適切に装着することができるという効果が得られる。
【図面の簡単な説明】  図１は、本発明のリベット保持帯へのリベット類装着装置を示す平面図であり、図２は、図１におけるリベット類の整列供給装置を示す斜視図であり、図３は、図１におけるリベットホイール付近の詳細を一部破断して示す平面図であり、図４は、図１に示すリベットホイール付近の正面図であり、図５は、図１におけるリベットホイール、リベット保持帯およびリベット類の関係を示す断面図である。
図６は、リベット類が押込み部材としての回動部材に到達する直前の規制部材を取り除いた部分斜視図であり、図７は、リベット類が押込み部材としての回動部材でリベット保持帯に押し込まれている状態の規制部材を取り除いた部分斜視図であり、図８は、リベット類が押込み部材としての回動部材でリベット保持帯に押し込まれている状態の断面図である。
図９は、リベット保持帯の斜視図であり、リベット類の装着工程順（ａ）（ｂ）に示している。
図１０は、リベット保持帯の展開図である。
【発明を実施するための最良の形態】  本発明の実施の最良の形態を図について説明する。図１はリベット保持帯へのリベット類装着装置を概念的に示す平面図、図２はリベット類の整列供給装置を一部破断して示す斜視図、図９はリベット保持帯の斜視図（ａ）（ｂ）であり、リベット類の装着工程順に示している。
この発明は、図９（ａ）に示すようにリベット保持帯３６の保持切欠３７にリベット類４９を押し込み、同図（ｂ）に示すようにリベット類４９を装着したリベット保持帯３６を得るものである。この実施の形態では、リベット類として頭部４９ａと軸部４９ｂとで形成したリベット４９で示している。
図１乃至図３において、リベット類の整列供給装置はホッパ１１と、整列フィーダ１２と、これの昇降駆動機構１３とを備えて構成されている。さらに、この実施例では整列フィーダ１２とリベットホイール１５との間に、リベット類のシュート１４が設置されている。
前記ホッパ１１は、上部が開放されたボックス型に形成されている。このホッパ１１の底板は、幅方向の外側部分は平らな面１６ａに形成され、中央部分は斜面１６ｂに形成されていて、投入されたリベット類が自然に中央部分に集まるようになっている。また、ホッパ１１の底板の中央部に、整列フィーダ１２が貫いて昇降しうるスリット１７が設けられている。
前記整列フィーダ１２は平面から見て細長いコ字型に形成されていて、リベット用の整列スリット１８を有している。この整列スリット１８は、対象とするリベット類の軸部分よりも大きく、かつ頭部よりも小さい幅に形成されている。このため、整列スリット１８の上面でリベット類の頭部が受け止められ、かつリベット類の軸部分は整列スリット１８内に吊り下げられ、重力によりほぼ垂直に支持され、整列されるように構成されている。また、整列フィーダ１２の上面は、リベットホイール１５との受け渡し位置に向かって下り勾配の斜面に形成されていて、整列されたリベット類を重力により自然に落下させて得るようになっている。
前記整列フィーダ１２の昇降駆動機構には、モータ１９の回転運動を昇降運動に変換する機構としてのクランク機構が用いられている。このクランク機構は、駆動軸２０に取り付けられ、かつ先端部にフォロア２１を有するクランク腕２２と、水平方向に長いガイド溝２３を有し、かつ整列フィーダ１２の下端部側の一側部に取り付けられた伝動腕２４とを備えて構成されている。前記ガイド溝２３内にフォロア２１が係合されている。前記クランク機構は駆動軸２０が矢印ｃ方向に回転駆動されると、クランク腕２２が同方向に回転し、フォロア２１がガイド溝２３に沿って移動しつつ、伝動腕２４を押し上げまたは引き下げる。このため、整列フィーダ１２を矢印ｄ方向に昇降動させ得る。
前記シュート１４には、前記整列フィーダ１２に設けられた整列スリット１８と同じ幅のスリット２５が設けられている。このスリット２５は、整列フィーダ１２が上限位置付近まで上昇したときに、整列スリット１８に接続され、整列スリット１８からリベット類を受け取り、受け取ったときのままの姿勢でリベットホイール１５との受け渡し位置に供給するようになっている。
一方、リベットホイール１５は中心にホイールシャフト２６を有する。また、図３および図４に示すようなボス形の胴部２７の上下端に鍔２８が形成されている。これらの各鍔２８の周辺には、これらの互いに対向する位置にリベット係止用の溝（保持溝）２９が等間隔に設けられている。
ホイールシャフト２６はブラケット３０上に回転自在に支持されており、このホイールシャフト２６の下端部にウオームギヤ３１が取り付けられている。またブラケット３０には、これを貫通するように水平軸３２が回転自在に支持されており、この水平軸３２の中央部に、前記ウオームギヤ３１に噛合するウオームホイール３３が取り付けられている。
ブラケット３０の側部から突出する水平軸３２の一端には、手廻しハンドル３４が取り付けられている。従って、この手廻しハンドル３４の回転操作により、水平軸３２の回転が、垂直軸であるホイールシャフト２６を中心とするリベットホイール１５の水平回転に変換される。ここでは手廻しハンドル３４に代えてモータであってもよい。なお、前記ホイールシャフト２６および水平軸３２はそれぞれ回転を円滑にする軸受（図示しない）によって支承されている。
また、前記胴部２７外周の中央部にはスプロケット３５が設けられており、これがリベットホイール１５の回転によって後述のリベット保持帯を送り出すように機能する。図６は、そのリベット保持帯３６の一部を展開して示す正面図である。このリベット保持帯３６は、帯状部３６ａの両端（上下端）にこの帯状部３６ａに対してＬ字状に屈曲可能な複数の上下のタブ３６ｂ、３６ｃを一体に有し、各タブ３６ｂ、３６ｃ端の対応位置に保持切欠３７が設けられている。さらに、帯状部３６ａには、前記スプロケット３５の歯の間隔で、この歯に係止して帯状部３６ａを送り出すための係止孔３８が設けられている。この係止孔３８は、リベッタで使用するときはリベット保持帯の送り出し用の孔となる。
前記リベットホイール１５付近には、図３に示すように、軸３９ａを中心に水平回動可能なガイドポスト３９と、このガイドポスト３９との間に、前記リベット保持帯３６を導き入れるためのへの字形のガイドブラケット４０と、このガイドブラケット４０の途中に設けられて、図１０に示すような展開しているリベット保持帯３６を、図９に示すような断面コ字状のリベット保持帯３６に折り曲げる折り曲げ金具４８と、胴部２７に対峙して設けられ、リベット保持帯３６をシュート１４からリベット類を受け取る部位から押込み部材の直前に至る領域で胴部２７側へ押し付けるとともに、リベットホイール１５の回転と共にリベット類４９の頭部４９ａを図５に示すように支持して案内する位置決め用の規制部材４１と、リベットホイール１５の溝２９に位置するリベット類をリベット保持帯３６の保持切欠３７におしこむ押込み部材４２と、受け取ったリベット類４９を溝（保持溝）２９に押込むリベットガイド４３と、先端が胴部２７の外周に近接して図３に示すように臨む保持帯外しブラケット４４とが配置されている。
前記規制部材４１には、リベット類４９の頭部４９ａを支持するガイド切欠４１ａが形成されている。この規制部材４１は、リベット類４９の位置を規制し、リベット保持帯３６への装着位置を一定にするものである。リベット類４９は、リベットホイール１５の溝２９に収納されても、その溝２９において上下方向に移動して位置ずれを生ずるおそれがある。これを防止するため図５および図８に示すように通過するリベット保持帯３６の上下タブ３６ｂ、３６ｃ間に位置し、リベット類４９の頭部４９ａを、そのガイド切欠４１ａで係止してリベット類４９の位置を一定に保持するものである。
前記押込み部材４２は、軸４５を中心に回動する回動部材４６と、この回動部材４６によって、リベット類４９をリベット保持帯３６の保持切欠３７に装着させる押圧量調整部材４７とを備えている。
次に、前記構成になる装置の動作を説明する。まず、初めにホッパ１１内にブラインドリベットや釘などのリベット類４９をランダムに多数投入する。リベット類４９はそのホッパ１１内の斜面１６ｂを下り次第に中央部に集まってくる。ここで、モータ１９を駆動すると、昇降駆動機構１３のクランク腕２２が回転して、その先端にあるフォロア２１が伝動腕２４のガイド溝２３内を移動しながらこの伝動腕２４を昇降させる。
このため、この伝動腕２４を取り付けている整列フィーダ１２は、矢印ｄ方向にホッパ１１のスリット１７を貫いて昇降する。この動作により、ホッパ１１の中央部付近のリベット類４９は整列スリット１８によりすくい上げられる。このとき、リベット類４９の頭部４９ａは整列フィーダ１２の上面に支持され、軸部４９ｂはスリット内に垂下されて整列状態となる。
このように整列されたリベット類４９は、自身の重量によって整列フィーダ１２の傾斜する上面を滑って下方へ移行し、シュート１４のスリット２５へ乗り移る。シュート１４に乗り移ったリベット類４９は、さらにリベットホイール１５との受け渡し位置に連続的に供給される。
シュート１４の出口付近にはリベットホイール１５が近接して臨んでいる。このリベットホイール２を、前記モータ１９とは独立に設けた前記手廻しハンドル３４を回転することにより、シュート１４から送出されるリベット類４９がリベットホイール１５の溝２９に１本ずつ収納される。
一方、図１０に示すような展開状態のリベット保持帯３６は、ガイドポスト３９およびガイドブラケット４０に沿って案内され供給されると、折り曲げ金具４８にて図９（ａ）（ｂ）に示すように断面コ字状に折り曲げされ、図５に示すようにコ字状に折曲された状態にて、リベットホイール１５の上下の鍔２８、２８間を上下タブ３６ｂ、３６ｃを外側に向けて移動する。
この時、リベットホイール１５の胴部２７に対峙して規制部材４１が延出しているので、リベットホイール１５の上下の鍔２８、２８間を上下タブ３６ｂ、３６ｃを外側に向けて移動するリベット保持帯３６は、規制部材４１を上下タブ３６ｂ、３６ｃの間に位置してその帯状部３６ａが押えられる格好で移動する。従って、リベットホイール１５の溝２９に収納されたリベット類４９は、図５および図８に示すようにリベット類４９の頭部４９ａが規制部材４１のガイド切欠４１ａに係止され、位置規制されて案内される。
また、リベット保持帯３６の帯状部３６ａには係止孔３８が設けられているため、リベット保持帯３６は、その帯状部３６ａをリベットホイール１５の胴部２７に当接して移動しているので、その係止孔３８がスプロケット３５の各歯に係止される。このため、リベットホイール１５とリベット保持帯３６の位置合せが自動的になされる。従ってリベットホイール１５の回転がリベット保持帯３６に直接かつ確実に伝えられ、相互間で滑りを生じることはない。
リベット保持帯３６がスプロケット３５の回転とともにさらに移動すると、リベットガイド４３によりリベットホイール１５上のリベット類４９がリベット保持帯３６側に案内され、続いて押込み部材４２により回動量が設定された回動部材４６によって、リベット類４９がリベット保持帯３６の各保持切欠３７内に押し込まれて装着される。押込み部材４２は押圧量調整部材４７を持つので、これを操作することにより回動部材４６を軸４５を中心に回動角度を調整できる。この調整によって、リベット類４９のサイズや形状に応じて、このリベット類４９の保持切欠３７に対する押込み圧力および押込み量を任意に調整することができる。
この時のリベット類４９がリベット保持帯３６に装着される様子が、図６および図７に示されている。図６はリベット類が押込み部材としての回動部材に到達する直前の部分斜視図、図７はリベット類が押込み部材としての回動部材でリベット保持帯に押し込まれている状態の部分斜視図であり、いずれも規制部材は省略して示している。図８はリベット類が押込み部材としての回動部材でリベット保持帯に押し込まれている状態の断面図である。
図５に示すようにリベットホイール１５の溝２９、２９に収納され、リベット保持帯３６の保持切欠３７の入口に位置し、規制部材４１で位置規制されたリベット類４９は、リベットホイール１５の回転により、リベット保持帯３６と共に移動する。この時、図６から図７に示すように押込み部材４２としての回動部材４６の部分に移動してきたリベット類４９は、回動部材４６の傾斜面によってリベット保持帯３６の保持切欠３７に押し込まれ装着される
このようにして、リベット保持帯３６にはリベット類４９が順次装着され、リベッタで利用可能な、リベット類４９が装着されたリベット保持帯３６を得ることができる。
【産業上の利用可能性】  以上のように、本発明にかかるリベット保持帯へのリベット類装着装置は、リベット保持帯にブラインドリベットを連続して装着できるし、また、釘やネジ釘を保持帯に連続して装着することもできる。
【図１】
2004082865.tif 000003
【図２】
2004082865.tif 000004
【図３】
2004082865.tif 000005
【図４】
2004082865.tif 000006
【図５】
2004082865.tif 000007
【図６】
2004082865.tif 000008
【図７】
2004082865.tif 000009
【図８】
2004082865.tif 000010
【図９】
2004082865.tif 000011
【図１０】
2004082865.tif 000012
【国際調査報告】
2004082865.tif 000013
2004082865.tif 000014
2004082865.tif 000015
2004082865.tif 000016